(57)【要約】  本発明に係るＮＦＣ通信機能付き表示装置は、表示パネルを含む。表示装置内には、ＮＦＣアンテナ配線が集積して設置される。ＮＦＣアンテナ配線は、表示パネルの表示面側に位置し、透明導体材料から製造される。表示装置内には、表示パネルの表示面に近接して位置するＮＦＣアンテナ配線が集積して設置されることで、ＮＦＣ信号の感度や信頼性を向上させ、ＮＦＣアンテナ配線が破損や位置ずれしにくくなる。また、ＮＦＣアンテナ配線が透明導体材料から製造されるため、表示エリアにＮＦＣアンテナ配線を配置することができ、その結果、モジュールの狭額縁化設計の実現に有利である。【選択図】図１
2019506771.tif 000002
【特許請求の範囲】
【請求項１】
表示パネル（１０）を含むＮＦＣ通信機能付き表示装置であって、
前記表示装置内には、ＮＦＣアンテナ配線（６０、７０、８０、９０）が集積して設置され、
前記ＮＦＣアンテナ配線（６０、７０、８０、９０）は、前記表示パネル（１０）の表示面側に位置し、透明導体材料から製造されることを特徴とするＮＦＣ通信機能付き表示装置。
【請求項２】
前記ＮＦＣアンテナ配線（６０、７０、８０、９０）は、ＩＴＯまたはグラフェンまたはナノ銀ワイヤから製造されることを特徴とする請求項１に記載のＮＦＣ通信機能付き表示装置。
【請求項３】
前記表示パネル（１０）上には、第１透明膜（４０）及び第２透明膜（５０）が設けられ、
前記ＮＦＣアンテナ配線（６０）は、第１アンテナ配線（６１）及び第２アンテナ配線（６２）を含み、
前記第１アンテナ配線（６１）は、前記第１透明膜（４０）の１つの表面（４２）上に形成され、
前記第２アンテナ配線（６２）は、前記第２透明膜（５０）の１つの表面（５１）上に形成され、
前記第１透明膜（４０）及び前記第２透明膜（５０）の、アンテナ配線を有する２つの表面（４２、５１）は貼り合わされることを特徴とする請求項２に記載のＮＦＣ通信機能付き表示装置。
【請求項４】
前記第１アンテナ配線（６１）は、第１ボンディングパッド（６１１）、第２ボンディングパッド（６１２）、及び前記第１ボンディングパッド（６１１）と前記第２ボンディングパッド（６１２）とに接続される配線（６１６）を含み、
前記第２アンテナ配線（６２）は、第３ボンディングパッド（６２３）、第４ボンディングパッド（６２４）、及び前記第３ボンディングパッド（６２３）と前記第４ボンディングパッド（６２４）とに接続されるリード線（６２６）を含み、
前記第２ボンディングパッド（６１２）は、前記第４ボンディングパッド（６２４）に対応して貼り合わされるとともに前記第４ボンディングパッド（６２４）に電気的に接続され、
前記第１ボンディングパッド（６１１）と前記第３ボンディングパッド（６２３）とは、互いにずれて外部の回路に接続されることを特徴とする請求項３に記載のＮＦＣ通信機能付き表示装置。
【請求項５】
前記表示パネル（１０）上には、透明膜（４０）が設けられ、
前記透明膜（４０）は、第１の表面（４１）と、前記第１の表面（４１）に対向する第２の表面（４２）とを含み、
前記ＮＦＣアンテナ配線（７０）は、第１アンテナ配線（７１）及び第２アンテナ配線（７２）を含み、
前記第１アンテナ配線（７１）は、前記透明膜（４０）の第１の表面（４１）上に形成され、
前記第２アンテナ配線（７２）は、前記透明膜（４０）の第２の表面（４２）上に形成されることを特徴とする請求項１に記載のＮＦＣ通信機能付き表示装置。
【請求項６】
前記第１アンテナ配線（７１）は、第１ボンディングパッド（７１１）、第２ボンディングパッド（７１２）、第３ボンディングパッド（７１３）、及び前記第１ボンディングパッド（７１１）と前記第２ボンディングパッド（７１２）とに接続される配線（７１６）を含み、
前記第２アンテナ配線（７２）は、第４ボンディングパッド（７２４）、第５ボンディングパッド（７２５）、及び前記第４ボンディングパッド（７２４）と前記第５ボンディングパッド（７２５）とに接続されるリード線（７２６）を含み、
前記透明膜（４０）には、第１貫通孔及び第２貫通孔が設けられ、
前記第２ボンディングパッド（７１２）は、前記第４ボンディングパッド（７２４）に位置合わせられるとともに、前記第１貫通孔により前記第４ボンディングパッド（７２４）に電気的に接続され、
前記第３ボンディングパッド（７１３）は、前記第５ボンディングパッド（７２５）に位置合わせられるとともに、前記第２貫通孔により前記第５ボンディングパッド（７２５）に電気的に接続され、
前記第１ボンディングパッド（７１１）と前記第３ボンディングパッド（７１３）とは、相互にずれて外部の回路に接続されることを特徴とする請求項５に記載のＮＦＣ通信機能付き表示装置。
【請求項７】
前記表示パネル（１０）上には、透明膜（４０）が設けられ、
前記透明膜（４０）は、第１の表面（４１）と、前記第１の表面（４１）に対向する第２の表面（４２）とを含み、
前記ＮＦＣアンテナ配線（８０）は、前記透明膜（４０）の第１の表面（４１）上に形成されることを特徴とする請求項１に記載のＮＦＣ通信機能付き表示装置。
【請求項８】
前記ＮＦＣアンテナ配線（８０）は、第１ボンディングパッド（８０１）、第２ボンディングパッド（８０２）、第３ボンディングパッド（８０３）、前記第１ボンディングパッド（８０１）と前記第２ボンディングパッド（８０２）とに接続される配線（８０６）、及び透明絶縁導線（８０８）を含み、
前記第２ボンディングパッド（８０２）は、前記透明絶縁導線（８０８）により前記第３ボンディングパッド（８０３）に電気的に接続され、
前記第１ボンディングパッド（８０１）と前記第３ボンディングパッド（８０３）とは、互いにずれて外部の回路に接続されることを特徴とする請求項７に記載のＮＦＣ通信機能付き表示装置。
【請求項９】
前記表示パネル（１０）上には、透明膜（４０）及びカバーガラス（１１０）が設けられ、
前記カバーガラス（１１０）は、前記透明膜（４０）を覆うように設置され、
前記ＮＦＣアンテナ配線（６０）は、第１アンテナ配線（６１）及び第２アンテナ配線（６２）を含み、
前記第１アンテナ配線（６１）は、前記透明膜（４０）の１つの表面（４２）上に形成され、
前記第２アンテナ配線（６２）は、前記カバーガラス（１１０）の１つの表面（１１１）上に形成され、
前記透明膜（４０）及び前記カバーガラス（１１０）の、アンテナ配線を有する２つの表面（４２、１１１）は貼り合わされることを特徴とする請求項１に記載のＮＦＣ通信機能付き表示装置。
【請求項１０】
前記第１アンテナ配線（６１）は、第１ボンディングパッド（６１１）、第２ボンディングパッド（６１２）、及び前記第１ボンディングパッド（６１１）と前記第２ボンディングパッド（６１２）とに接続される配線（６１６）を含み、
前記第２アンテナ配線（６２）は、第３ボンディングパッド（６２３）、第４ボンディングパッド（６２４）、及び前記第３ボンディングパッド（６２３）と前記第４ボンディングパッド（６２４）とに接続されるリード線（６２６）を含み、
前記第２ボンディングパッド（６１２）は、前記第４ボンディングパッド（６２４）に対応して貼り合わされるとともに前記第４ボンディングパッド（６２４）に電気的に接続され、
前記第１ボンディングパッド（６１１）と前記第３ボンディングパッド（６２３）とは、互いにずれて外部の回路に接続されることを特徴とする請求項９に記載のＮＦＣ通信機能付き表示装置。
【請求項１１】
前記表示パネル（１０）と前記ＮＦＣアンテナ配線（６０、７０、８０）との間には、分離層（１００）が設けられることを特徴とする請求項１乃至１０のいずれか一項に記載のＮＦＣ通信機能付き表示装置。
【請求項１２】
前記表示パネル（１０）と前記ＮＦＣアンテナ配線（６０、７０、８０）との間には、タッチ感応層（３０）が設けられることを特徴とする請求項１乃至１０のいずれか一項に記載のＮＦＣ通信機能付き表示装置。
【請求項１３】
前記表示パネル（１０）と前記タッチ感応層（３０）との間には、バリア層（２０）が設けられることを特徴とする請求項１２に記載のＮＦＣ通信機能付き表示装置。
【請求項１４】
前記タッチ感応層（３０）と前記ＮＦＣアンテナ配線（６０、７０、８０）との間には、分離層（１００）が設けられることを特徴とする請求項１２に記載のＮＦＣ通信機能付き表示装置。
【請求項１５】
前記表示パネル（１０）はＯＬＥＤ表示パネルであり、順次に積層して設置されるＯＬＥＤパネルパッケージカバー（１１）、ＯＬＥＤ第１電極（１２）、ＯＬＥＤ発光エリア（１３）、ＯＬＥＤ第２電極（１４）及びＯＬＥＤ基板（１５）を含み、
前記ＯＬＥＤ発光エリア（１３）は、前記ＯＬＥＤ基板（１５）の位置する側に向けて発光して表示を行い、
前記ＮＦＣアンテナ配線（６０、７０、８０、９０）は、前記ＯＬＥＤ基板（１５）の前記ＯＬＥＤ発光エリア（１３）から離れる側に位置することを特徴とする請求項１に記載のＮＦＣ通信機能付き表示装置。
【請求項１６】
前記ＯＬＥＤ基板（１５）は、前記ＯＬＥＤ発光エリア（１３）側に向ける第１の表面（１５１）と、前記ＯＬＥＤ発光エリア（１３）側から離れる第２の表面（１５２）と有し、
前記ＮＦＣアンテナ配線（９０）は、前記ＯＬＥＤ基板（１５）の第２の表面（１５２）上に形成されることを特徴とする請求項１５に記載のＮＦＣ通信機能付き表示装置。
【請求項１７】
前記ＮＦＣアンテナ配線（９０）は、前記ＯＬＥＤ基板（１５）の第２の表面（１５２）上に直接的に形成されることを特徴とする請求項１６に記載のＮＦＣ通信機能付き表示装置。
【請求項１８】
前記ＮＦＣアンテナ配線（９０）と前記ＯＬＥＤ基板（１５）の第２の表面（１５２）との間には、一層の透明の波吸収材層（１２０）が形成され、
前記透明の波吸収材層（１２０）が前記ＯＬＥＤ基板（１５）の第２の表面（１５２）上に形成された後、前記ＮＦＣアンテナ配線（９０）が前記透明の波吸収材層（１２０）上に形成されることを特徴とする請求項１６に記載のＮＦＣ通信機能付き表示装置。
【請求項１９】
前記ＮＦＣアンテナ配線（９０）は、第１ボンディングパッド（９０１）、第２ボンディングパッド（９０２）、及び前記第１ボンディングパッド（９０１）と前記第２ボンディングパッド（９０２）とに接続される配線（９０６）を含むことを特徴とする請求項１６に記載のＮＦＣ通信機能付き表示装置。
【請求項２０】
前記ＮＦＣアンテナ配線（９０）は、第１ボンディングパッド（９０１）、第２ボンディングパッド（９０２）、第３ボンディングパッド（９０３）、前記第１ボンディングパッド（９０１）と前記第２ボンディングパッド（９０２）とに接続される配線（９０６）、及び透明絶縁導線（９０８）を含み、
前記第２ボンディングパッド（９０２）は、前記透明絶縁導線（９０８）により前記第３ボンディングパッド（９０３）に電気的に接続され、
前記第１ボンディングパッド（９０１）と前記第３ボンディングパッド（９０３）とは、互いにずれて外部の回路に接続されることを特徴とする請求項１６に記載のＮＦＣ通信機能付き表示装置。
【発明の詳細な説明】
【技術分野】
【０００１】
本願は、２０１６年３月１０日に中華人民共和国国家知識産権局に出願された中国特許出願第２０１６１０１３６０８５．５号及び同日に中華人民共和国国家知識産権局に出願された中国特許出願第２０１６１０１３６３６５．６号の優先権を主張し、これらの全文を参照により本明細書に援用する。
【０００２】
本発明は、表示技術分野に関し、特に、ＮＦＣ通信機能付き表示装置に関する。
【背景技術】
【０００３】
表示技術の種類は多くて、液晶表示（Ｌｉｑｕｉｄ  Ｃｒｙｓｔａｌ  Ｄｉｓｐｌａｙ,ＬＣＤ）や有機発光ダイオード表示（Ｏｒｇａｎｉｃ  Ｌｉｇｈｔ−ｅｍｉｔｔｉｎｇ  Ｄｉｏｄｅ,ＯＬＥＤ）などを含む。特に、ＯＬＥＤ表示は非常に注目を集めている。ＯＬＥＤは、自発光表示、薄型軽量化や省電力などのメリットを有するほか、フレキシブル材料によって製造されるフレキシブルディスプレイを巻き取ったり、折り畳んだりしてウェアラブル装置の一部としてもよい。ＯＬＥＤの発光原理としては、２つの電極の間に非常に薄い有機発光材料を堆積させ、有機発光材料に電流を通電し、キャリアの流入や結合によって発光するものである。
【０００４】
グラフェンは、最も薄くて最も硬いナノ材料として知られ、ほぼ完全に透明で２．３％の光しか吸収しない。また、グラフェンは、抵抗率が極めて低くて１０−８Ωｍのみであるため、透明導体として極めて有望であり、透明のタッチスクリーン、ライトパネル、さらに太陽電池の製造に適する。さらに、関連研究により、グラフェンは層状ナノ構造が電磁波を吸収する特性を有し、新型の波吸収材として機能することを示唆する。
【０００５】
ナノ銀ワイヤ（ｓｉｌｖｅｒ  ｎａｎｏｗｉｒｅ）技術とは、ナノ銀ワイヤのインク料をプラスチックまたはガラス基板上に塗布した後、レーザーリソグラフィー技術により、ナノレベルの銀ワイヤ導電網目パターンを有する透明導電膜をパターニングする技術である。ナノ銀ワイヤは、銀の優れた導電性を有するほか、ナノレベルのサイズ効果によって、優れた光透過性や耐屈曲性を有するため、従来のＩＴＯ透明電極を代替する可能性が最も高い材料とみなされる。また、ナノ銀ワイヤ膜は、小さい屈曲半径を有し、屈曲時に抵抗変化率が小さいため、曲面表示を有する装置、例えば、スマートフォンやブレスレットなどに適用する場合に有利である。
【０００６】
ＮＦＣ（Ｎｅａｒ  Ｆｉｅｌｄ  Ｃｏｍｍｕｎｉｃａｔｉｏｎ）、すなわち、近距離無線通信技術とは、電子機器の間に非接触式でポイントツーポイントデータを転送する（１０ｃｍ以内）技術である。この技術は、非接触無線周波数識別子（ＲＦＩＤ）から進化してきたものであり、ＲＦＩＤの後方互換性を保ち、主に携帯電話などの携帯端末装置にＭ２Ｍ（Ｍａｃｈｉｎｅ  ｔｏ  Ｍａｃｈｉｎｅ）通信を提供する。近距離通信が自然なセキュリティを有するため、ＮＦＣ技術はモバイル支払いなどの分野での利用可能性が大きいものと考えられる。
【０００７】
現在、よく使われる携帯電話以外、電子機器、特にウェアラブル類製品はＮＦＣ機能を有するものが多くなっている。しかしながら、ウェアラブル類製品及び他の小型電子機器の外形の制限のため、電子機器のサイズや集積化に対する要求が比較的に高い。現在、製品の内部に集積化されたＮＦＣアンテナは、通常、ＰＣＢ基板またはＦＰＣフレキシブル基板において金属配線をコイルとして製造した後、コイルを含むＰＣＢ基板またはＦＰＣフレキシブル基板をバッテリーやケースに貼り付けるものである。このようなＮＦＣアンテナのデメリットは以下とおりである。
【０００８】
（１）ＮＦＣアンテナは装置の内部に多くのスペースを占有するため、小型電子機器の設計ニーズに対応できない。
（２）通常のＮＦＣアンテナはＰＣＢ基板またはＦＰＣフレキシブル基板において金属リード線をコイルとして製造した後、コイルを含むＰＣＢ基板またはＦＰＣフレキシブル基板をバッテリーやケースに貼り付けるものである。バッテリー、ケースを繰り返し着脱することで、ＮＦＣアンテナの摩耗や位置合わせ不良を引き起こし、ＮＦＣ信号の伝送に影響を与えることになる。
（３）ＮＦＣの通信距離が近いので、ＮＦＣ信号の強度や安定性を確保するために、一部の電子機器、例えば、腕時計などに対して、ＮＦＣアンテナを表示面に配置する必要がある。
【０００９】
ＮＦＣアンテナを表示パネルの正面に集積化する方法では、ＮＦＣアンテナ配線として銀、銅などの導体を採用し、ＮＦＣアンテナのコイルを表示エリア外に配置して中間域を中空にすることで、ＮＦＣアンテナ配線で表示エリアを遮蔽することを回避する。しかしながら、このような方法では、ＮＦＣアンテナ配線のスペースを確保するために、ＮＦＣアンテナのフレームを非常に大きく製造する必要があるので、モジュール全体の表示エリア外の額縁サイズを増大させるようになる。この方法は、通常のＮＦＣアンテナ配線が摩耗や位置ずれしやすい問題をある程度で解決するが、過大なモジュールの額縁サイズにより小型電子機器の設計に好ましくない。
【発明の概要】
【発明が解決しようとする課題】
【００１０】
本発明の解決しようとする課題は、上記従来技術の問題点を鑑み、透明導電材料から製造されるＮＦＣアンテナ配線を表示装置内に集積し、ＮＦＣ信号の感度や安定性を向上させ、ＮＦＣアンテナ配線が破損、位置ずれしにくく、ＮＦＣアンテナ配線を表示エリアに配置してモジュールの狭額縁化を実現可能なＮＦＣ機能付き表示装置を提供することである。
【課題を解決するための手段】
【００１１】
上記目的を達成するために、本発明に係るＮＦＣ通信機能付き表示装置は、表示パネルを含む。前記表示装置内には、ＮＦＣアンテナ配線が集積して設置される。前記ＮＦＣアンテナ配線は、前記表示パネルの表示面側に位置し、透明導体材料から製造される。
【００１２】
さらに、前記ＮＦＣアンテナ配線は、ＩＴＯまたはグラフェンまたはナノ銀ワイヤから製造される。
【００１３】
さらに、前記表示パネル上には、第１透明膜及び第２透明膜が設けられる。前記ＮＦＣアンテナ配線は、第１アンテナ配線及び第２アンテナ配線を含む。前記第１アンテナ配線は、前記第１透明膜の１つの表面上に形成される。前記第２アンテナ配線は、前記第２透明膜の１つの表面上に形成される。前記第１透明膜及び前記第２透明膜の、アンテナ配線を有する２つの表面は貼り合わされる。
【００１４】
さらに、前記第アンテナ配線は、第１ボンディングパッド、第２ボンディングパッド、及び前記第１ボンディングパッドと前記２第ボンディングパッドとに接続される配線を含む。前記第２アンテナ配線は、第３ボンディングパッド、第４ボンディングパッド、及び前記第３ボンディングパッドと前記第４ボンディングパッドとに接続されるリード線を含む。前記第２ボンディングパッドは、前記第４ボンディングパッドに対応して貼り合わされるとともに前記第４ボンディングパッドに電気的に接続される。前記第１ボンディングパッドと前記第３ボンディングパッドとは、互いにずれて外部の回路に接続される。
【００１５】
さらに、前記表示パネル上には、透明膜が設けられる。前記透明膜は、第１の表面と、前記第１の表面に対向する第２の表面とを含む。前記ＮＦＣアンテナ配線は、第１アンテナ配線及び第２アンテナ配線を含む。前記第１アンテナ配線は、前記透明膜の第１の表面上に形成される。前記第２アンテナ配線は、前記透明膜の第２の表面上に形成される。
【００１６】
さらに、前記第アンテナ配線は、第１ボンディングパッド、第２ボンディングパッド、第３ボンディングパッド、及び前記第１ボンディングパッドと前記第２ボンディングパッドとに接続される配線を含む。前記第２アンテナ配線は、第４ボンディングパッド、第５ボンディングパッド、及び前記第４ボンディングパッドと前記第５ボンディングパッドとに接続されるリード線を含む。前記透明膜には、第１貫通孔及び第２貫通孔が設けられる。前記第２ボンディングパッドは、前記第４ボンディングパッドに位置合わせられるとともに、前記第１貫通孔により前記第４ボンディングパッドに電気的に接続される。前記第３ボンディングパッドは、前記第５ボンディングパッドに位置合わせられるとともに、前記第２貫通孔により前記第５ボンディングパッドに電気的に接続される。前記第１ボンディングパッドと前記第３ボンディングパッドとは、相互にずれて外部の回路に接続される。
【００１７】
さらに、前記表示パネル上には、透明膜が設けられる。前記透明膜は、第１の表面と、前記第１の表面に対向する第２の表面とを含む。前記ＮＦＣアンテナ配線は、前記透明膜の第１の表面上に形成される。
【００１８】
さらに、前記ＮＦＣアンテナ配線は、第１ボンディングパッド、第２ボンディングパッド、第３ボンディングパッド、前記第１ボンディングパッドと前記第２ボンディングパッドとに接続される配線、及び透明絶縁導線を含む。前記第２ボンディングパッドは、前記透明絶縁導線により前記第３ボンディングパッドに電気的に接続される。前記第１ボンディングパッドと前記第３ボンディングパッドとは、互いにずれて外部の回路に接続される。
【００１９】
さらに、前記表示パネル上には、透明膜及びカバーガラスが設けられる。前記カバーガラスは、前記透明膜を覆うように設置される。前記ＮＦＣアンテナ配線は、第１アンテナ配線及び第２アンテナ配線を含む。前記第１アンテナ配線は、前記透明膜の1つの表面上に形成される。前記第２アンテナ配線は、前記カバーガラスの1つの表面上に形成される。前記透明膜及び前記カバーガラスは、貼り合わされたアンテナ配線の２つの表面を有する。
【００２０】
さらに、前記第１アンテナ配線は、第１ボンディングパッド、第２ボンディングパッド、及び前記第１ボンディングパッドと前記第２ボンディングパッドとに接続される配線を含む。前記第２アンテナ配線は、第３ボンディングパッド、第４ボンディングパッド、及び前記第３ボンディングパッドと前記第４ボンディングパッドとに接続されるリード線を含む。前記第２ボンディングパッドは、前記第４ボンディングパッドに対応して貼り合わされるとともに前記第４ボンディングパッドに電気的に接続される。前記第１ボンディングパッドと前記第３ボンディングパッドとは、互いにずれて外部の回路に接続される。
【００２１】
さらに、前記表示パネルと前記ＮＦＣアンテナ配線との間には、分離層が設けられる。
【００２２】
さらに、前記表示パネルと前記ＮＦＣアンテナ配線との間には、タッチ感応層が設けられる。
【００２３】
さらに、前記表示パネルと前記タッチ感応層との間には、バリア層が設けられる。
【００２４】
さらに、前記タッチ感応層と前記ＮＦＣアンテナ配線との間には、分離層が設けられる。
【００２５】
さらに、前記表示パネルはＯＬＥＤ表示パネルであり、順次に積層して設置されるＯＬＥＤパネルパッケージカバー、ＯＬＥＤ第１電極、ＯＬＥＤ発光エリア、ＯＬＥＤ第２電極及びＯＬＥＤ基板を含む。前記ＯＬＥＤ発光エリアは、前記ＯＬＥＤ基板の位置する側に向けて発光して表示を行う。前記ＮＦＣアンテナ配線は、前記ＯＬＥＤ基板の前記ＯＬＥＤ発光エリアから離れる側に位置する。
【００２６】
さらに、前記ＯＬＥＤ基板は、前記ＯＬＥＤ発光エリア側に向ける第１の表面と、前記ＯＬＥＤ発光エリア側から離れる第２の表面と有する。前記ＮＦＣアンテナ配線は、前記ＯＬＥＤ基板の第２の表面上に形成される。
【００２７】
さらに、前記ＮＦＣアンテナ配線は、前記ＯＬＥＤ基板の第２の表面上に直接的に形成される。
【００２８】
さらに、前記ＮＦＣアンテナ配線と前記ＯＬＥＤ基板の第２の表面との間には、一層の透明の波吸収材層が形成される。前記透明の波吸収材層が前記ＯＬＥＤ基板の第２の表面上に形成された後、前記ＮＦＣアンテナ配線が前記透明の波吸収材層上に形成される。
【００２９】
さらに、前記ＮＦＣアンテナ配線は、第１ボンディングパッド、第２ボンディングパッド、及び前記第１ボンディングパッドと前記第２ボンディングパッドとに接続される配線を含む。
【００３０】
さらに、前記ＮＦＣアンテナ配線は、第１ボンディングパッド、第２ボンディングパッド、第３ボンディングパッド、前記第１ボンディングパッドと前記第２ボンディングパッドとに接続される配線、及び透明絶縁導線を含む。前記第２ボンディングパッドは、前記透明絶縁導線により前記第３ボンディングパッドに電気的に接続される。前記第１ボンディングパッドと前記第３ボンディングパッドとは、互いにずれて外部の回路に接続される。
【発明の効果】
【００３１】
本発明の実施形態に係るＮＦＣ通信機能付き表示装置では、ＮＦＣアンテナ配線を表示装置内に集積して設置することで、部品点数を減らしてモジュールを薄型化するほか、製造工程を簡素化して製造コストを削減することができる。また、表示パネルの表示面に近接する側にＮＦＣアンテナ配線を設置することで、ＮＦＣ信号の通信距離を短くし、ＮＦＣ信号の感度や信頼性を向上させるとともに、従来のバッテリー、ケースの着脱によってＮＦＣアンテナが破損、位置ずれしやすい問題を解決する。ＩＴＯまたはグラフェンまたはナノ銀ワイヤなどの低インピーダンスの透明材料をＮＦＣアンテナ導体とすることで、ＮＦＣアンテナ配線を表示エリアに配置することができ、モジュールの狭額縁化設計を実現することができ、携帯電話や腕時計、他の携帯式電子機器の狭額縁化の設計要件を満たし、小型電子設備への適用領域、例えば、ウェアラブル製品において市場拡大の期待が高まっている。
【図面の簡単な説明】
【００３２】
【図１】本発明の第１実施形態に係る表示装置の構成を示す図である。
【図２】図１の第１透明膜の平面図である。
【図３】図１の第２透明膜の平面図である。
【図４】本発明の第２実施形態に係る表示装置の構成を示す図である。
【図５】図４の透明膜の第１の表面の平面図である。
【図６】図４の透明膜の第２の表面の平面図である。
【図７】本発明の第３実施形態に係る表示装置の構成を示す図である。
【図８】図７の透明膜の平面図である。
【図９】本発明の第４実施形態に係る表示装置の構成を示す図である。
【図１０】本発明の第５実施形態に係る表示装置の構成を示す図である。
【図１１】本発明の第６実施形態に係る表示装置の構成を示す図である。
【図１２】本発明の第７実施形態に係る表示装置の構成を示す図である。
【図１３】本発明の第８実施形態に係る表示装置の構成を示す図である。
【図１４】本発明の第９実施形態に係る表示装置の構成を示す図である。
【図１５】本発明の第１０実施形態に係る表示装置の構成を示す図である。
【図１６】本発明の第１１実施形態に係る表示装置の構成を示す図である。
【図１７】本発明の第１２実施形態に係る表示装置の構成を示す図である。
【図１８】図１７のＯＬＥＤ基板の一実施形態の平面図である。
【図１９】図１７のＯＬＥＤ基板の他の実施形態の平面図である。
【図２０】本発明の第１３実施形態に係る表示装置の構成を示す図である。
【図２１】本発明の第１４実施形態に係る表示装置の製造フローチャートである。
【発明を実施するための形態】
【００３３】
以下、本発明の目的、技術内容及び効果をより明確にするために、図面を参照しながら、本発明の実施形態について詳しく説明する。
【００３４】
（第１実施形態）
図１は、本発明の第１実施形態に係る表示装置の構成を示す図である。図１に示すように、表示装置は、表示パネル１０、バリア層２０、タッチ感応層３０、第１透明膜４０及び第２透明膜５０を含む。本実施形態では、表示パネル１０、バリア層２０、タッチ感応層３０、第１透明膜４０及び第２透明膜５０は順次に積層して設置される。すなわち、バリア層２０は表示パネル１０上に設置され、タッチ感応層３０はバリア層２０上に設置され、第１透明膜４０はタッチ感応層３０上に設置され、第２透明膜５０は第１透明膜４０上に設置される。なお、各構造層は、光学用透明粘着剤（ＯＣＡ）によって貼り合わされる。他の実施形態では、第１透明膜４０の位置と第２透明膜５０の位置が交換可能であり、すなわち、第１透明膜４０が第２透明膜５０の上方に設置されてもよい。
【００３５】
表示パネル１０は、例えば、ＯＬＥＤ表示パネル、電子ペーパー（Ｅ−ｉｎｋ）表示パネル、ＬＣＤ表示パネルなどである。本実施形態では、表示パネル１０はＯＬＥＤ表示パネルであり、順次に積層して設置されるＯＬＥＤパネルパッケージカバー１１、ＯＬＥＤ第１電極１２、ＯＬＥＤ発光エリア１３、ＯＬＥＤ第２電極１４及びＯＬＥＤ基板１５を含む。なお、ＯＬＥＤパネルパッケージカバー１１はパッケージとして機能し、一般的にパッケージカバーと乾燥剤とからなったり、パッケージ膜と乾燥剤とからなったりし、これにより、ＯＬＥＤ発光エリア１３への水や酸素の浸入を防止する。ＯＬＥＤ第１電極１２は、一般的にアルミニウムや銀、マグネシウムなどの金属電極である。ＯＬＥＤ発光エリア１３は、例えば、電子注入層、電子輸送層、発光層、正孔注入層、正孔輸送層などの構造層を含む。ＯＬＥＤ第２電極１４は、一般的にＩＴＯなどの透明導電材料から形成される。ＯＬＥＤ基板１５は、ＯＬＥＤ画素及びリード線を含んでドライバチップに接続され、一般的にガラス、フレキシブルフィルムなどの透明材質である。ＯＬＥＤ第２電極１４は、ＯＬＥＤ基板１５の下面にエッチングまたは印刷されてもよい。ＯＬＥＤ表示パネルに画面を表示する場合、ＯＬＥＤ発光エリア１３は、ＯＬＥＤ基板１５の位置する側に向けて発光して表示を行い（図の矢印Ａで示すように）、すなわち、第１透明膜４０及び第２透明膜５０が表示パネル１０の表示面側に位置する。
【００３６】
表示装置内には、ＮＦＣアンテナ配線６０が集積して設置される。ＮＦＣアンテナ配線６０は、表示パネル１０の表示面側に位置し、透明導体材料、例えば、ＩＴＯまたはグラフェンまたはナノ銀ワイヤなどから製造される。本実施形態では、ＮＦＣアンテナ配線６０は、第１透明膜４０と第２透明膜５０との間に形成されることで、ＯＬＥＤ基板１５のＯＬＥＤ発光エリア１３から離れる側に位置するようになる。ＯＬＥＤ発光エリア１３がＯＬＥＤ基板１５の位置する側に向けて発光して表示を行うため、ＮＦＣアンテナ配線６０は表示パネル１０の表示面側に位置する。
【００３７】
図２は、図１の第１透明膜の平面図である。図３は、図１の第２透明膜の平面図である。図２及び図３に示すように、本実施形態では、ＮＦＣアンテナ配線６０は、第１アンテナ配線６１及び第２アンテナ配線６２を含む。第１アンテナ配線６１は、第１透明膜４０の1つの表面４２（本実施形態では、第１透明膜４０の上面となる）上に形成される。第２アンテナ配線６２は、第２透明膜５０の一面５２（本実施形態では、第２透明膜５０の下面となる）上に形成される。第１透明膜４０及び第２透明膜５０の、アンテナ配線を有する２つの表面４２、５１は貼り合わされる。第１アンテナ配線６１及び第２アンテナ配線６２の材料としては、例えば、ＩＴＯやグラフェン、ナノ銀ワイヤなどの高透過率、低インピーダンスの導体材料を採用する。
【００３８】
より詳細には、第１アンテナ配線６１は、第１透明膜４０の表面４２上に製造され、第１ボンディングパッド６１１、第２ボンディングパッド６１２、及び第１ボンディングパッド６１１と第２ボンディングパッド６１２とに接続される配線６１６を含む。なお、第１ボンディングパッド６１１は、第１透明膜４０の縁部に位置する。第２アンテナ配線６２は、第２透明膜５０の表面５１上に製造され、第３ボンディングパッド６２３、第４ボンディングパッド６２４、及び第３ボンディングパッド６２３と第４ボンディングパッド６２４とに接続されるリード線６２６を含む。なお、第３ボンディングパッド６２３は、第２透明膜５０の縁部に位置する。また、第３ボンディングパッド６２３及び第１ボンディングパッド６１１は、相互に位置ずれする。第４ボンディングパッド６２４と第２ボンディングパッド６１２とは、相互に位置合わせされる。第１透明膜４０と第２透明膜５０とが相対的に貼り合わされた場合には、第２ボンディングパッド６１２が第４ボンディングパッド６２４に対応して貼り合わされるとともに第４ボンディングパッド６２４に電気的に接続され、第１ボンディングパッド６１１と第３ボンディングパッド６２３とが相互にずれて外部の回路に接続される。
【００３９】
第１透明膜４０と第２透明膜５０とが光学用透明粘着剤によって貼り合わされた場合、第１ボンディングパッド６１１、第２ボンディングパッド６１２、第３ボンディングパッド６２３及び第４ボンディングパッド６２４の所在する位置に光学用透明粘着剤を塗布せず、他の位置（第１アンテナ配線６１の配線６１６及び第２アンテナ配線６２のリード線６２６の所在する位置）に光学用透明粘着剤を塗布する。第１透明膜４０及び第２透明膜５０が光学用透明粘着剤によって貼り合わされた後、光学用透明粘着剤が絶縁体であるため、第１アンテナ配線６１の配線６１６と第２アンテナ配線６２のリード線６２６とが互いに絶縁され、
第１アンテナ配線６１と第２アンテナ配線６２とが第２ボンディングパッド６１２と第４ボンディングパッド６２４との貼り合せ接触により電気的に接続されることで、ＮＦＣアンテナ配線６０が形成される。さらに、ＮＦＣアンテナ配線６０は、第１ボンディングパッド６１１及び第３ボンディングパッド６２３によってＦＰＣにポンディングされたり、他の形態で引き出されたりした後に外部回路に接続される。
【００４０】
タッチ感応層３０は、表示パネル１０とＮＦＣアンテナ配線６０との間に設置される。表示装置は、タッチ感応層３０によりタッチ機能を備える。本実施形態では、タッチ感応層３０のパターンは、グラフェンまたはナノ銀ワイヤを導体として用いて製造したものであり、グラフェンを用いることが好ましい。ＮＦＣアンテナ配線６０の磁場が金属からの干渉を受けやすいため、タッチ感応層３０のパターンをグラフェンで製造する場合は、グラフェンの波吸収性によりＮＦＣ信号の強度を一層確保することができ、ＮＦＣ信号に干渉することがない。
【００４１】
バリア層２０は、表示パネル１０とタッチ感応層３０との間に設置され、ＩＴＯまたはグラフェンまたはナノ銀ワイヤなどの材料がめっきされた薄膜であり、主に、表示パネル１０内における画面信号による上方のタッチ感応層３０への干渉を遮蔽するように作用する。なお、バリア層２０は、実際の必要に応じて、設置されてもよいし、設置されなくてもよい。
【００４２】
（第２実施形態）
図４は、本発明の第２実施形態に係る表示装置の構成を示す図である。図４に示すように、表示装置は、表示パネル１０、バリア層２０、タッチ感応層３０及び透明膜４０を含む。本実施形態では、表示パネル１０、バリア層２０、タッチ感応層３０及び透明膜４０は順次に積層して設置される。すなわち、バリア層２０は表示パネル１０上に設置され、タッチ感応層３０はバリア層２０上に設置され、透明膜４０はタッチ感応層３０上に設置される。なお、各構造層は、光学用透明粘着剤（ＯＣＡ）によって貼り合わされる。
【００４３】
表示パネル１０は、例えば、ＯＬＥＤ表示パネル、電子ペーパー（Ｅ−ｉｎｋ）表示パネル、ＬＣＤ表示パネルなどである。本実施形態では、表示パネル１０はＯＬＥＤ表示パネルであり、順次に積層して設置されるＯＬＥＤパネルパッケージカバー１１、ＯＬＥＤ第１電極１２、ＯＬＥＤ発光エリア１３、ＯＬＥＤ第２電極１４及びＯＬＥＤ基板１５を含む。ＯＬＥＤ表示パネルに画面を表示する場合、ＯＬＥＤ発光エリア１３は、ＯＬＥＤ基板１５の位置する側に向けて発光して表示を行い、すなわち、透明膜４０が表示パネル１０の表示面側に位置する。
【００４４】
表示装置内には、ＮＦＣアンテナ配線７０が集積して設置される。ＮＦＣアンテナ配線７０は、表示パネル１０の表示面側に位置し、透明導体材料、例えば、ＩＴＯまたはグラフェンまたはナノ銀ワイヤなどから製造される。本実施形態では、ＮＦＣアンテナ配線７０は、透明膜４０の表面上に形成されることで、ＯＬＥＤ基板１５のＯＬＥＤ発光エリア１３から離れる側に位置するようになる。ＯＬＥＤ発光エリア１３がＯＬＥＤ基板１５の位置する側に向けて発光して表示を行うため、ＮＦＣアンテナ配線７０は表示パネル１０に近接する表示面の一方側に位置する。
【００４５】
図５は、図４の透明膜の第１の表面の平面図である。図６は、図４の透明膜の第２の表面の平面図である。図５及び図６に示すように、本実施形態では、透明膜４０は、第１の表面４１と、第１の表面４１に対向する第２の表面４２とを含む。ＮＦＣアンテナ配線７０は、第１アンテナ配線７１及び第２アンテナ配線７２を含む。第１アンテナ配線７１は、透明膜４０の第１の表面４１（本実施形態では、透明膜４０の下面となる）上に形成される。第２アンテナ配線７２は、透明膜４０の第２の表面４２（本実施形態では、透明膜４０の上面となる）上に形成される。第１アンテナ配線７１及び第２アンテナ配線７２の材料としては、例えば、ＩＴＯやグラフェン、ナノ銀ワイヤなどの高透過率、低インピーダンスの導体材料を採用する。
【００４６】
より詳細には、第１アンテナ配線７１は、透明膜４０の第１の表面４1上に製造され、第１ボンディングパッド７１１、第２ボンディングパッド７１２、第３ボンディングパッド７１３、及び第１ボンディングパッド７１１と第２ボンディングパッド７１２とに接続される配線７１６を含む。なお、第１ボンディングパッド７１１及び第３ボンディングパッド７１３は、透明膜４０の縁部に位置する。第２アンテナ配線７２は、透明膜４０の第２の表面４２上に製造され、第４ボンディングパッド７２４、第５ボンディングパッド７２５、及び第４ボンディングパッド７２４と第５ボンディングパッド７２５とに接続されるリード線７２６を含む。なお、第５ボンディングパッド７２５は、透明膜４０の縁部に位置する。第５ボンディングパッド７２５及び第３ボンディングパッド７１３は、相互に位置合わせされる。第４ボンディングパッド７２４及び第２ボンディングパッド７１２は、相互に位置合わせされる。透明膜４０には、第１貫通孔（不図示）及び第２貫通孔（不図示）が設けられる。第２ボンディングパッド７１２は、第１貫通孔により第４ボンディングパッド７２４に電気的に接続される。第３ボンディングパッド７１３は、第２貫通孔により第５ボンディングパッド７２５に電気的に接続される。第１ボンディングパッド７１１と第３ボンディングパッド７１３とは相互にずれ、ＦＰＣにポンディングされたり、他の形態で引き出されたりした後に外部回路に接続される。
【００４７】
タッチ感応層３０は、表示パネル１０とＮＦＣアンテナ配線７０との間に設置される。表示装置は、タッチ感応層３０によりタッチ機能を備える。本実施形態では、タッチ感応層３０のパターンは、グラフェンまたはナノ銀ワイヤを導体として用いて製造したものであり、グラフェンを用いることが好ましい。ＮＦＣアンテナ配線７０の磁場が金属からの干渉を受けやすいため、タッチ感応層３０のパターンをグラフェンで製造する場合は、グラフェンの波吸収性によりＮＦＣ信号の強度を一層確保することができ、ＮＦＣ信号に干渉することがない。
【００４８】
バリア層２０は、表示パネル１０とタッチ感応層３０との間に設置され、ＩＴＯまたはグラフェンまたはナノ銀ワイヤなどの材料がめっきされた薄膜であり、主に、表示パネル１０内における画面信号による上方のタッチ感応層３０への干渉を遮蔽するように作用する。なお、バリア層２０は、実際の必要に応じて、設置されてもよいし、設置されなくてもよい。
【００４９】
（第３実施形態）
図７は、本発明の第３実施形態に係る表示装置の構成を示す図である。図７に示すように、表示装置は、表示パネル１０、バリア層２０、タッチ感応層３０及び透明膜４０を含む。本実施形態では、表示パネル１０、バリア層２０、タッチ感応層３０及び透明膜４０は順次に積層して設置される。すなわち、バリア層２０は表示パネル１０上に設置され、タッチ感応層３０はバリア層２０上に設置され、透明膜４０はタッチ感応層３０上に設置される。なお、各構造層は、光学用透明粘着剤（ＯＣＡ）によって貼り合わされる。
【００５０】
表示パネル１０は、例えば、ＯＬＥＤ表示パネル、電子ペーパー（Ｅ−ｉｎｋ）表示パネル、ＬＣＤ表示パネルなどである。本実施形態では、表示パネル１０はＯＬＥＤ表示パネルであり、順次に積層して設置されるＯＬＥＤパネルパッケージカバー１１、ＯＬＥＤ第１電極１２、ＯＬＥＤ発光エリア１３、ＯＬＥＤ第２電極１４及びＯＬＥＤ基板１５を含む。ＯＬＥＤ表示パネルに画面を表示する場合、ＯＬＥＤ発光エリア１３は、ＯＬＥＤ基板１５の位置する側に向けて発光して表示を行い、すなわち、透明膜４０が表示パネル１０の表示面側に位置する。
【００５１】
表示装置内には、ＮＦＣアンテナ配線８０が集積して設置される。ＮＦＣアンテナ配線８０は、表示パネル１０の表示面側に位置し、透明導体材料、例えば、ＩＴＯまたはグラフェンまたはナノ銀ワイヤなどから製造される。本実施形態では、ＮＦＣアンテナ配線８０は、透明膜４０の1つの表面上に形成されることで、ＯＬＥＤ基板１５のＯＬＥＤ発光エリア１３から離れる側に位置するようになる。ＯＬＥＤ発光エリア１３がＯＬＥＤ基板１５の位置する側に向けて発光して表示を行うため、ＮＦＣアンテナ配線８０は表示パネル１０に近接する表示面の一方側に位置する。
【００５２】
図８は、図７の透明膜の第１の表面の平面図である。図７及び図８に示すように、透明膜４０は、第１の表面４１と、第１の表面４１に対向する第２の表面４２とを含む。本実施形態では、ＮＦＣアンテナ配線８０は、透明膜４０の第１の表面４１（本実施形態では、透明膜４０の下面となる）上に形成され、例えば、ＩＴＯやグラフェン、ナノ銀ワイヤなどの高透過率、低インピーダンスの導体材料を採用する。
【００５３】
より詳細には、ＮＦＣアンテナ配線８０は、透明膜４０の第１の表面４1上に製造され、第１ボンディングパッド８０１、第２ボンディングパッド８０２、第３ボンディングパッド８０３、第１ボンディングパッド８０１と第２ボンディングパッド８０２とに接続される配線８０６、及び透明絶縁導線８０８を含む。なお、第１ボンディングパッド８０１及び第３ボンディングパッド８０３は、透明膜４０の外側の縁部に位置する。透明膜４０の内側の第２ボンディングパッド８０２が透明絶縁導線８０８により外側の第３ボンディングパッド８０３に接続されることで第３ボンディングパッド８０３に電気的に接続されるが、透明絶縁導線８０８と配線８０６とが互いに絶縁される。第１ボンディングパッド８０１と第３ボンディングパッド８０３とは相互にずれ、ＦＰＣにポンディングされたり、他の形態で引き出されたりした後に外部回路に接続される。他の実施形態では、ＮＦＣアンテナ配線８０は、透明膜４０の第２の表面４２上に製造されてもよい。
【００５４】
（第４実施形態）
図９は、本発明の第４実施形態に係る表示装置の構成を示す図である。図９に示すように、表示装置は、表示パネル１０、分離層１００、第１透明膜４０、第２透明膜５０及びカバーガラス１１０を含む。本実施形態では、表示パネル１０、分離層１００、第１透明膜４０、第２透明膜５０及びカバーガラス１１０は順次に積層して設置される。すなわち、分離層１００は表示パネル１０上に設置され、第１透明膜４０は分離層１００上に設置され、第２透明膜５０は第１透明膜４０上に設置され、カバーガラス１１０は第２透明膜５０を覆うように第２透明膜５０上に設置される。なお、各構造層は、光学用透明粘着剤（ＯＣＡ）によって貼り合わされる。
【００５５】
表示パネル１０は、例えば、ＯＬＥＤ表示パネル、電子ペーパー（Ｅ−ｉｎｋ）表示パネル、ＬＣＤ表示パネルなどである。本実施形態では、表示パネル１０は、例えば、ＯＬＥＤ表示パネルである。表示パネルの構成については上述した第１実施形態〜第３実施形態を参照し、その詳細な説明を省略する。第１透明膜４０及び第２透明膜５０は、表示パネル１０の表示面側に位置する。
【００５６】
表示装置内には、ＮＦＣアンテナ配線６０が集積して設置される。ＮＦＣアンテナ配線６０は、表示パネル１０の表示面側に位置し、透明導体材料、例えば、ＩＴＯまたはグラフェンまたはナノ銀ワイヤなどから製造される。本実施形態では、ＮＦＣアンテナ配線６０は、第１透明膜４０と第２透明膜５０との間に形成されることで、表示パネル１０の表示面に近接する一方側に位置するようになる。
【００５７】
上述した第１実施形態で示されるように、ＮＦＣアンテナ配線６０は、第１透明膜４０及び第２透明膜５０の片面にＩＴＯまたはグラフェンまたはナノ銀ワイヤなどの低インピーダンスの透明材料をめっきすることで形成される。第１透明膜４０の上面４２上には、第１アンテナ配線６１が形成され、第２透明膜５０の下面５１上には、第２アンテナ配線６２が形成される。この２つの透明膜４０、５０は、貼り合わされたアンテナ配線の２つの表面４２、５１を有し、これにより、ＮＦＣアンテナ配線６０が形成される。第１アンテナ配線６１及び第２アンテナ配線６２の構成の詳細については上述した第１実施形態を参照し、その詳細な説明を省略する。
【００５８】
（第５実施形態）
図１０は、本発明の第５実施形態に係る表示装置の構成を示す図である。図１０に示すように、表示装置は、表示パネル１０、分離層１００、透明膜４０及びカバーガラス１１０を含む。本実施形態では、表示パネル１０、分離層１００、透明膜４０及びカバーガラス１１０は順次に積層して設置される。すなわち、分離層１００は表示パネル１０上に設置され、透明膜４０は分離層１００上に設置され、カバーガラス１１０は透明膜４０を覆うように透明膜４０上に設置される。なお、各構造層は、光学用透明粘着剤（ＯＣＡ）によって貼り合わされる。透明膜４０は、表示パネル１０の表示面側に位置する。
【００５９】
表示装置内には、ＮＦＣアンテナ配線７０が集積して設置される。ＮＦＣアンテナ配線７０は、表示パネル１０の表示面側に位置し、透明導体材料、例えば、ＩＴＯまたはグラフェンまたはナノ銀ワイヤなどから製造される。本実施形態では、ＮＦＣアンテナ配線７０は、透明膜４０の表面上に形成されることで、表示パネル１０の表示面に近接する一方側に位置するようになる。
【００６０】
上述した第２実施形態で示されるように、ＮＦＣアンテナ配線７０は、透明膜４０の両面にＩＴＯまたはグラフェンまたはナノ銀ワイヤなどの低インピーダンスの透明材料をめっきすることで形成される。透明膜４０の第１の表面４１（本実施形態では、透明膜４０の下面となる）上には、第１アンテナ配線７１が形成され、透明膜４０の対向する第２の表面４２（本実施形態では、透明膜４０の上面となる）上には、第２アンテナ配線７２が形成される。第１の表面４１の第１アンテナ配線７１及び第２の表面４２の第２アンテナ配線７２が電気的に接続されることで、ＮＦＣアンテナ配線７０が形成される。第１アンテナ配線７１及び第２アンテナ配線７２の構成の詳細については上述した第２実施形態を参照し、その詳細な説明を省略する。
【００６１】
（第６実施形態）
図１１は、本発明の第６実施形態に係る表示装置の構成を示す図である。図１１に示すように、表示装置は、表示パネル１０、分離層１００、透明膜４０及びカバーガラス１１０を含む。本実施形態では、表示パネル１０、分離層１００、透明膜４０及びカバーガラス１１０は順次に積層して設置される。すなわち、分離層１００は表示パネル１０上に設置され、透明膜４０は分離層１００上に設置され、カバーガラス１１０は透明膜４０を覆うように透明膜４０上に設置される。なお、各構造層は、光学用透明粘着剤（ＯＣＡ）によって貼り合わされる。透明膜４０は、表示パネル１０の表示面側に位置する。
【００６２】
表示装置内には、ＮＦＣアンテナ配線８０が集積して設置される。ＮＦＣアンテナ配線８０は、表示パネル１０の表示面側に位置し、透明導体材料、例えば、ＩＴＯまたはグラフェンまたはナノ銀ワイヤなどから製造される。本実施形態では、ＮＦＣアンテナ配線８０は、透明膜４０の１つの表面上に形成されることで、表示パネル１０の表示面に近接する一方側に位置するようになる。
【００６３】
上述した第３実施形態で示されるように、ＮＦＣアンテナ配線８０は、透明膜４０の片面にＩＴＯまたはグラフェンまたはナノ銀ワイヤなどの低インピーダンスの透明材料をめっきすることで形成される。透明膜４０の第１の表面４１（本実施形態では、透明膜４０の下面となる）上には、ＮＦＣアンテナ配線８０が形成される。ＮＦＣアンテナ配線８０の構成の詳細については上述した第３実施形態を参照し、詳細な説明を省略する。
【００６４】
他の実施形態では、ＮＦＣアンテナ配線８０は、透明膜４０の第２の表面４２（すなわち、透明膜４０の上面となる）上に形成されてもよいことを理解すべきである。
【００６５】
（第７実施形態）
図１２は、本発明の第７実施形態に係る表示装置の構成を示す図である。図１２に示すように、表示装置は、表示パネル１０、分離層１００、透明膜４０及びカバーガラス１１０を含む。本実施形態では、表示パネル１０、分離層１００、透明膜４０及びカバーガラス１１０は順次に積層して設置される。すなわち、分離層１００は表示パネル１０上に設置され、透明膜４０は分離層１００上に設置され、カバーガラス１１０は透明膜４０を覆うように透明膜４０上に設置される。なお、各構造層は、光学用透明粘着剤（ＯＣＡ）によって貼り合わされる。透明膜４０は、表示パネル１０の表示面側に位置する。
【００６６】
表示装置内には、ＮＦＣアンテナ配線６０が集積して設置される。ＮＦＣアンテナ配線６０は、表示パネル１０の表示面側に位置し、透明導体材料、例えば、ＩＴＯまたはグラフェンまたはナノ銀ワイヤなどから製造される。本実施形態では、ＮＦＣアンテナ配線６０は、透明膜４０とカバーガラス１１０との間に形成されることで、表示パネル１０の表示面に近接する一方側に位置するようになる。
【００６７】
本実施形態では、ＮＦＣアンテナ配線６０は、第１アンテナ配線６１及び第２アンテナ配線６２を含む。第１アンテナ配線６１は、透明膜４０の１つの表面４２（本実施形態では、透明膜４０の上面となる）上に形成される。第２アンテナ配線６２は、カバーガラス１１０の１つの表面１１１（本実施形態では、カバーガラス１１０の下面となる）上に形成される。透明膜４０及びカバーガラス１１０の、アンテナ配線を有する２つの表面４２、１１１が貼り合わされることで、ＮＦＣアンテナ配線６０が形成される。第１アンテナ配線６１及び第２アンテナ配線６２の構成の詳細については上述した第１実施形態を参照し、その詳細な説明を省略する。
【００６８】
つまり、上述した第７実施形態（図１２）と第４実施形態（図９）との相違点は、以下の通りである。上述した第４実施形態では、カバーガラス１１０が保護カバーのみとして機能し、ＮＦＣアンテナ配線６０が他の２つの透明膜４０、５０上に形成される。一方、上述した第７実施形態では、カバーガラス１１０が保護カバーとして機能するほか、カバーガラス１１０の１つの表面１１１上にＮＦＣアンテナ配線の一部（すなわち、第２アンテナ配線６２）が形成される。このため、第７実施形態は、第４実施形態に比べて、１つの透明膜を減らすことができ、コストダウンや製品の薄型化に有利である。
【００６９】
上述した第４実施形態〜第７実施形態に係る表示装置は、タッチ感応層３０が表示装置内に設置されていないため、タッチ機能が不要な場合に適する。
【００７０】
上述した第４実施形態〜第７実施形態では、分離層１００は表示パネル１０とＮＦＣアンテナ配線６０、７０、８０との間に設置され、グラフェンなどの透明波吸収材がめっきされた薄膜であり、表示パネル１０の画面信号によるＮＦＣ信号への干渉や信号劣化を妨げることができる。分離層１００には、例えば、グラフェンがめっきされると、グラフェンの波吸収性によりＮＦＣ信号の強度を一層確保することができ、ＮＦＣ信号に干渉することがない。
【００７１】
また、上述した第４実施形態〜第７実施形態では、カバーガラス１１０がＮＦＣアンテナ配線６０、７０、８０の表示パネル１０から離れる一方側を覆うように設置され、保護機能を果たす。さらに、上述した第７実施形態では、カバーガラス１１０は、ＮＦＣアンテナ配線の一部を設置する役割を果たす。
【００７２】
（第８実施形態〜第１１実施形態）
図１３は、本発明の第８実施形態に係る表示装置の構成を示す図である。図１４は、本発明の第９実施形態に係る表示装置の構成を示す図である。図１５は、本発明の第１０実施形態に係る表示装置の構成を示す図である。図１６は、本発明の第１１実施形態に係る表示装置の構成を示す図である。図１３〜図１６に示すように、第８実施形態〜第１１実施形態に係る表示装置は、上述した第４実施形態〜第７実施形態に係る表示装置にそれぞれ対応するとともに構成がほぼ同じであるが、表示パネル１０上に設置されるバリア層２０と、バリア層２０上に設置されるタッチ感応層３０とをさらに含む点、及び、分離層１００がタッチ感応層３０上に設置される点で上述した第４実施形態〜第７実施形態に係る表示装置と異なっている。
【００７３】
上述した第８実施形態〜第１１実施形態では、タッチ感応層３０は、表示パネル１０とＮＦＣアンテナ配線６０、７０、８０との間に設置される。表示装置は、タッチ感応層３０によりタッチ機能を備える。タッチ感応層３０のパターンは、ＩＴＯまたはグラフェンまたはナノ銀ワイヤを導体として用いて製造したものであってもよい。
【００７４】
バリア層２０は、表示パネル１０とタッチ感応層３０との間に設置され、ＩＴＯまたはグラフェンまたはナノ銀ワイヤなどの材料がめっきされた薄膜であり、表示パネル１０内における画面信号による上方のタッチ感応層３０への干渉を遮蔽することができる。なお、バリア層２０は、実際の必要に応じて、設置されてもよいし、設置されなくてもよい。
【００７５】
分離層１００は、タッチ感応層３０とＮＦＣアンテナ配線６０、７０、８０との間に設置される。分離層１００は、グラフェンなどの透明材料がめっきされた薄膜であることが好ましく、主に、タッチ感応層３０の感応信号によるＮＦＣ信号への干渉や信号劣化を妨げるように作用する。タッチ感応層３０とＮＦＣアンテナ配線６０、７０、８０との間にグラフェンがめっきされた分離層１００が設置されるため、タッチ感応層３０のパターンは、ＩＴＯなどの金属酸化物から製造されてもよい。また、ＮＦＣアンテナ配線６０、７０、８０の磁場が金属からの干渉を受けやすいが、分離層１００によれば、ＮＦＣアンテナの磁場がタッチ感応層３０内における金属導体からの干渉を受けないように確保することができる。
【００７６】
分離層１００は、設置されたり取り除かれたりしてもよい。分離層１００が取り除かれた場合には、グラフェンの波吸収性によりＮＦＣ信号の強度を一層確保することができ、ＮＦＣ信号に干渉することがないため、グラフェンを導体として用いてタッチ感応層３０のパターンを製造することが好ましい。
【００７７】
（第１２実施形態）
図１７は、本発明の第１２実施形態に係る表示装置の構成を示す図である。図１７に示すように、表示装置は、ＯＬＥＤ表示パネル１０を含む。ＯＬＥＤ表示パネル１０は、順次に積層して設置されるＯＬＥＤパネルパッケージカバー１１、ＯＬＥＤ第１電極１２、ＯＬＥＤ発光エリア１３、ＯＬＥＤ第２電極１４、ＯＬＥＤ基板１５及び絶縁保護膜１６を含む。詳細には、ＯＬＥＤ第１電極１２は、ＯＬＥＤパネルパッケージカバー１１上に設置され、ＯＬＥＤ発光エリア１３は、ＯＬＥＤ第１電極１２上に設置され、ＯＬＥＤ第２電極１４は、ＯＬＥＤ発光エリア１３上に設置され、ＯＬＥＤ基板１５は、ＯＬＥＤ第２電極１４上に設置され、絶縁保護膜１６は、ＯＬＥＤ基板１５上に設置される。ＯＬＥＤ基板１５は、ＯＬＥＤ発光エリア１３側に向ける第１の表面１５１と、ＯＬＥＤ発光エリア１３側から離れる第２の表面１５２とを有する。
【００７８】
ＯＬＥＤ表示パネル１０のＯＬＥＤパネルパッケージカバー１１はパッケージとして機能し、一般的にパッケージカバーと乾燥剤とからなったり、パッケージ膜と乾燥剤とからなったりし、これにより、ＯＬＥＤ発光エリア１３への水や酸素の浸入を防止する。ＯＬＥＤ第１電極１２は、一般的にアルミニウムや銀、マグネシウムなどの不透明の金属電極であり、全面的に設置される。ＯＬＥＤ発光エリア１３は、電子注入層、電子輸送層、発光層、正孔注入層、正孔輸送層などの構造層を含む。ＯＬＥＤ第２電極１４は、一般的にＩＴＯなどの透明導電材料から形成される。ＯＬＥＤ基板１５は、一般的にガラス、フレキシブルフィルムなどの透明材質である。ＯＬＥＤ第２電極１４は、エッチングや印刷などによってＯＬＥＤ基板１５の第１の表面１５１側に形成される。ＯＬＥＤ第２電極１４は、ＯＬＥＤ画素及びリード線を含む。なお、リード線は、ＯＬＥＤのドライバチップに接続される（不図示）。ＯＬＥＤ発光エリア１３は、ＯＬＥＤ基板１５の位置する側に向けて発光して表示を行い（図の矢印Ａで示すように）、すなわち、ＯＬＥＤ表示パネル１０の画面がＯＬＥＤ基板１５の位置する側によって表示される。
【００７９】
ＯＬＥＤ表示パネル１０内には、ＮＦＣアンテナ配線９０が集積して設置される。ＮＦＣアンテナ配線９０は、ＯＬＥＤ基板１５の第２の表面１５２上に形成される。絶縁保護膜１６は、ＮＦＣアンテナ配線９０を覆うように設置される。ＮＦＣアンテナ配線９０は、透明導体材料、例えば、ＩＴＯまたはグラフェンまたはナノ銀ワイヤなどから製造される。ＯＬＥＤ表示パネル１０の画面がＯＬＥＤ基板１５の位置する側によって表示されるため、ＯＬＥＤ表示パネル１０内に集積して設置されるＮＦＣアンテナ配線９０を、ＯＬＥＤ表示パネル１０の表示面側に位置させる。本実施形態では、ＮＦＣアンテナ配線９０がＯＬＥＤ基板１５の第２の表面１５２上に直接的に製造、形成され、すなわち、ＮＦＣアンテナ配線９０とＯＬＥＤ基板１５の第２の表面１５２との間に中間膜層が存在していない。ＮＦＣアンテナ配線９０は、例えば、エッチング又は印刷によってＯＬＥＤ基板１５の第２の表面１５２上に直接的に製造、形成される。
【００８０】
図１８は、図１７のＯＬＥＤ基板の一実施形態の平面図である。図１８に示すように、本実施形態では、ＮＦＣアンテナ配線９０がＯＬＥＤ基板１５の第２の表面１５２上に直接的に製造、形成される。ＮＦＣアンテナ配線９０は、第１ボンディングパッド９０１、第２ボンディングパッド９０２、及び第１ボンディングパッド９０１と第２ボンディングパッド９０２とに接続される配線９０６を含む。ＮＦＣアンテナ配線９０は、エッチングや印刷などによってＯＬＥＤ基板１５の第２の表面１５２上に直接的に製造、形成される。第１ボンディングパッド９０１及び第２ボンディングパッド９０２は、ＦＰＣにポンディングされたり、他の形態で引き出されたりした後に外部回路に接続される。
【００８１】
図１９は、図１７のＯＬＥＤ基板の他の実施形態の平面図である。図１９に示すように、本実施形態では、ＮＦＣアンテナ配線９０がＯＬＥＤ基板１５の第２の表面１５２上に直接的に製造、形成される。ＮＦＣアンテナ配線９０は、第１ボンディングパッド９０１、第２ボンディングパッド９０２、第３ボンディングパッド９０３、第１ボンディングパッド９０１と第２ボンディングパッド９０２とに接続される配線９０６、及び透明絶縁導線９０８を含む。第１ボンディングパッド９０１及び第３ボンディングパッド９０３は、ＯＬＥＤ基板１５の外側の縁部に位置する。ＯＬＥＤ基板１５の内側の第２ボンディングパッド９０２が透明絶縁導線９０８により外側の第３ボンディングパッド９０３に接続されることで第３ボンディングパッド９０３に電気的に接続されるが、透明絶縁導線９０８と配線９０６とが互いに絶縁される。第１ボンディングパッド９０１と第３ボンディングパッド９０３とが相互にずれ、ＦＰＣにポンディングされたり、他の形態で引き出されたりした後に外部回路に接続される。ＮＦＣアンテナ配線９０は、エッチングや印刷などによってＯＬＥＤ基板１５の第２の表面１５２上に直接的に製造されてもよい。
【００８２】
ＮＦＣアンテナ配線９０は、ＩＴＯまたはグラフェンまたはナノ銀ワイヤなどの透明導体材料から製造されるため、非表示エリアに限定されず、実際の必要に応じて、設置されてもよいし、設置されなくてもよい。この場合、ＮＦＣアンテナ配線９０は、ＯＬＥＤ表示パネル１０の表示エリア内に位置してもよく、表示に影響を与えないほか、ＯＬＥＤ表示パネル１０の狭額縁化設計に有利である。
【００８３】
ＯＬＥＤ基板１５の第２の表面１５２上にＮＦＣアンテナ配線９０を直接的に製造、形成した後、ＮＦＣアンテナ配線９０を覆うように絶縁保護膜１６をＮＦＣアンテナ配線９０上に設置する。このように、絶縁保護膜１６はＮＦＣアンテナ配線９０を覆うため、ＮＦＣアンテナ配線９０に対して保護、絶縁機能を果たす。また、絶縁保護膜１６は、ガラスやアクリル、フレキシブルフィルムなどの材質であってもよい。なお、絶縁保護膜１６は、円状偏光板や光学用透明粘着剤（ＯＣＡ）などの部材または材質によって代用されてもよい。
【００８４】
（第１３実施形態）
図２０は、本発明の第１３実施形態に係る表示装置の構成を示す図である。図２０に示すように、本実施形態は、ＮＦＣ信号がＯＬＥＤパネルからの干渉を受けないように、ＮＦＣアンテナ配線９０とＯＬＥＤ基板１５の第２の表面１５２との間に一層の透明の波吸収材層１２０をさらに製造し、すなわち、ＯＬＥＤ基板１５の第２の表面１５２上に一層の透明の波吸収材層１２０を製造した後、この透明の波吸収材層１２０上に一層のＮＦＣアンテナ配線９０をさらに製造することで上述した第１２実施形態と異なっている。当該透明の波吸収材層１２０は、例えば、グラフェンから製造され、主に、下方の画面信号による上方のＮＦＣ信号への干渉や信号劣化を妨げるように作用する。また、グラフェンの波吸収性によりＮＦＣ信号の強度を一層確保することができ、ＮＦＣ信号に干渉することがない。ＮＦＣアンテナ配線９０の構成については図１８または図１９を参照し、その詳細な説明を省略する。
【００８５】
（第１４実施形態）
図２１は、本発明の第１４実施形態に係る表示装置の製造フローチャートである。本実施形態に係る表示装置の製造方法は、図１７または図２０に示すＯＬＥＤ表示パネル１０を製造するための方法である。詳細には、ＯＬＥＤ表示パネル１０の製造方法は、以下のステップを含む。
【００８６】
ＯＬＥＤ基板１５を提供する。ＯＬＥＤ基板１５は、対向する第１の表面１５１及び第２の表面１５２を含む。ＯＬＥＤ基板１５は、一般的にガラスやフレキシブルフィルムなどの透明材質である。
【００８７】
ＯＬＥＤ基板１５の第２の表面１５２上には、ＮＦＣアンテナ配線９０を製造、形成する。エッチングまたは印刷により、ＮＦＣアンテナ配線９０をＯＬＥＤ基板１５の第２の表面１５２上に製造、形成してもよい。なお、ＮＦＣアンテナ配線９０は、ＩＴＯまたはグラフェンまたはナノ銀ワイヤなどの透明導電材料から製造される。
【００８８】
ＯＬＥＤ基板１５の第１の表面１５１側には、ＯＬＥＤ第２電極１４を製造、形成する。ＯＬＥＤ第２電極１４は、具体的にＯＬＥＤ画素電極及びリード線を含む。
【００８９】
ＯＬＥＤ第２電極１４上には、ＯＬＥＤ発光エリア１３を形成する。ＯＬＥＤ発光エリア１３は、電子注入層、電子輸送層、発光層、正孔注入層、正孔輸送層などの構造層を含む。
【００９０】
ＯＬＥＤ発光エリア１３上には、ＯＬＥＤ第１電極１２を形成する。ＯＬＥＤ第１電極１２は、一般的にアルミニウムや銀、マグネシウムなどの不透明の金属電極であり、ＯＬＥＤ発光エリア１３を全面的に覆うように設置される。
【００９１】
ＯＬＥＤ第１電極１２上には、ＯＬＥＤパネルパッケージカバー１１をパッケージする。ＯＬＥＤパネルパッケージカバー１１は、パッケージとして機能し、一般的にパッケージカバーと乾燥剤とからなったり、パッケージ膜と乾燥剤とからなったりし、これにより、ＯＬＥＤ発光エリア１３への水や酸素の浸入を防止する。
【００９２】
ＮＦＣアンテナ配線９０を覆うように絶縁保護膜１６を設置する。なお、ＯＬＥＤ発光エリア１３は、ＯＬＥＤ基板１５の位置する側に向けて発光して表示を行うことで、ＮＦＣアンテナ配線９０をＯＬＥＤ表示パネル１０の表示面側に位置させる。絶縁保護膜１６は、ＮＦＣアンテナ配線９０に対して保護、絶縁機能を果たす。
【００９３】
さらに、この製造方法は、ＮＦＣアンテナ配線９０とＯＬＥＤ基板１５の第２の表面１５２との間に一層の透明の波吸収材層１２０を製造、形成するステップをさらに含む。ＯＬＥＤ基板１５の第２の表面１５２上に透明の波吸収材層１２０を製造した後、ＮＦＣアンテナ配線９０を透明の波吸収材層１２０上に製造、形成する。なお、当該透明の波吸収材層１２０は、例えば、グラフェンから製造され、主に、下方のスクリーン体信号による上方のＮＦＣ信号への干渉や信号劣化を妨げるように作用する。また、グラフェンの波吸収性によりＮＦＣ信号の強度を一層確保することができ、ＮＦＣ信号に干渉することがない。
【００９４】
上記をまとめると、上記各実施形態では、ＮＦＣアンテナ配線を表示パネルに集積した表示装置が開示され、ＮＦＣアンテナ配線を表示装置内に集積して設置することで、部品点数を減らしてモジュールを薄型化するほか、製造工程を簡素化して製造コストを削減することができる。また、ＮＦＣアンテナ配線を小型電子機器の表面（表示面）に設置することで、機器の表面からＮＦＣ通信を行う必要のある製品に対して、ＮＦＣ信号の通信距離を短くし、ＮＦＣ信号の感度や信頼性を向上させるとともに、従来のバッテリー、ケースの着脱によってＮＦＣアンテナが破損、位置ずれしやすい問題を解決する。
【００９５】
従来のＮＦＣアンテナ配線は銀、銅などの導体を採用し、ＮＦＣアンテナのコイルが表示パネルに集積された場合、ＮＦＣアンテナ配線が表示エリアを遮蔽しないようにコイルを表示エリア外に配置しなければならない。また、ＮＦＣアンテナ配線のスペースを確保するために、ＮＦＣワイヤフレームを非常に大きく作る必要があるので、モジュールの非表示エリアの額縁サイズを確実に増加させることになる。本発明の実施形態では、ＩＴＯまたはグラフェンまたはナノ銀ワイヤなどの低インピーダンスの透明材料をＮＦＣアンテナ導体とすることで、ＮＦＣアンテナ配線を表示エリアに配置することができ、ＮＦＣアンテナ配線が表示エリアに入って表示効果に影響を与える心配が不要となる。ＮＦＣアンテナ配線の外形構造及びＮＦＣアンテナ配線の表示パネルに貼り合わせられる位置が自由に選択可能であるため、モジュールの狭額縁化設計を実現することができ、携帯電話や腕時計、他の携帯式電子機器の狭額縁化の設計要件を満たし、小型電子機器への適用領域、例えば、ウェアラブル製品において市場拡大の期待が高まっている。
【００９６】
従来のＮＦＣアンテナ配線がタッチパネルに集積される場合、ＮＦＣアンテナの磁場が周囲の金属導体からの干渉を受けないことを確保するために、ＮＦＣアンテナ配線とタッチスクリーンとの間には、一層のフェライトを波吸収材として増設する必要がある。本発明の実施形態では、タッチ感応層を設置することで、表示装置がタッチ機能を備え、タッチ感応層のパターンが安定した性能のグラフェンを導体として用いることが好ましく、グラフェンの波吸収性により、フェライト層を増設することなく、タッチ感応層がＮＦＣアンテナの波吸収材としても機能することができる。
【００９７】
本発明の実施形態では、表示パネルとタッチ感応層との間にバリア層が設置され、バリア層によれば、表示パネル内における画面信号による上方のタッチ感応層への干渉を遮蔽することができる。タッチ感応層とＮＦＣアンテナ配線との間に分離層が設置され、分離層によれば、タッチ感応層がＮＦＣ信号に干渉しないことを確保することができる。また、最外側に設置されるカバーガラスは、ＮＦＣアンテナ配線に対して保護機能を果たすことができる。
【００９８】
上述したのは本発明の好適な実施例に過ぎず、本発明を限定するものではない。本発明の精神や原則に基づく如何なる変更や均等的な置換、潤色などは、いずれも本発明の保護を求める範囲内に属するものである。
【産業上の利用可能性】
【００９９】
本発明の実施形態に係るＮＦＣ通信機能付き表示装置では、ＮＦＣアンテナ配線を表示装置内に集積して設置することで、部品点数を減らしてモジュールを薄型化するほか、製造工程を簡素化して製造コストを削減することができる。また、表示パネルの表示面に近接する側にＮＦＣアンテナ配線を設置することで、ＮＦＣ信号の通信距離を短くし、ＮＦＣ信号の感度や信頼性を向上させるとともに、従来のバッテリー、ケースの着脱によってＮＦＣアンテナが破損、位置ずれしやすい問題を解決する。ＩＴＯまたはグラフェンまたはナノ銀ワイヤなどの低インピーダンスの透明材料をＮＦＣアンテナ導体とすることで、ＮＦＣアンテナ配線を表示エリアに配置することができ、モジュールの狭額縁化設計を実現することができ、携帯電話や腕時計、他の携帯式電子機器の狭額縁化の設計要件を満たし、小型電子設備への適用領域、例えば、ウェアラブル製品において市場拡大の期待が高まっている。
【図１】
2019506771.tif 000003
【図２】
2019506771.tif 000004
【図３】
2019506771.tif 000005
【図４】
2019506771.tif 000006
【図５】
2019506771.tif 000007
【図６】
2019506771.tif 000008
【図７】
2019506771.tif 000009
【図８】
2019506771.tif 000010
【図９】
2019506771.tif 000011
【図１０】
2019506771.tif 000012
【図１１】
2019506771.tif 000013
【図１２】
2019506771.tif 000014
【図１３】
2019506771.tif 000015
【図１４】
2019506771.tif 000016
【図１５】
2019506771.tif 000017
【図１６】
2019506771.tif 000018
【図１７】
2019506771.tif 000019
【図１８】
2019506771.tif 000020
【図１９】
2019506771.tif 000021
【図２０】
2019506771.tif 000022
【図２１】
2019506771.tif 000023
【国際調査報告】
2019506771.tif 000024
2019506771.tif 000025
2019506771.tif 000026
2019506771.tif 000027